(57)【要約】【課題】島設備に固定される機枠と、機枠に対して上下のヒンジ機構により着脱可能に軸着される遊技盤取付枠を備えた遊技機において、遊技盤取付枠の着脱作業を容易にする。【解決手段】ヒンジ軸１８５を回動可能に支持する軸受け部２３０の一部を固定部材２０１、他部を移動部材２１０に形成し、移動部材２１０を支持位置と嵌脱位置とに移動可能として、遊技盤取付枠１３０の着脱を容易にする。また、移動部材２１０を付勢部材によってヒンジ軸１８５を支持する支持位置側に付勢し、不用意に遊技盤取付枠１３０が外れないようにする。また、透明部材保持枠１４０に移動阻止部材１４３を形成し、透明部材保持枠１４０が閉状態で移動部材２１０の移動を規制して不正行為を防止する。また、透明部材保持枠１４０を開放すれば遊技盤取付枠１３０がどの位置であっても移動部材２１０を移動可能とし、遊技盤取付枠１３０の傾斜調整作業や着脱作業の作業性を向上する。【選択図】図１３
2006239147.tif 000002
【特許請求の範囲】
【請求項１】
島設備に取り付けられ前面が開口した機枠と、該機枠に対して上下のヒンジ機構により開閉可能且つ着脱可能に軸着されるとともに遊技領域を形成する遊技盤が取り付けられる遊技盤取付枠と、該遊技盤取付枠に開閉可能に取り付けられ前記遊技盤の遊技領域を視認可能な開口部を形成するとともに、該開口部を塞ぐ状態で透明部材を保持する透明部材保持枠と、を備え、
前記上下のヒンジ機構が、前記機枠又は前記遊技盤取付枠の一方に設けられたヒンジ軸と、他方に設けられ、前記ヒンジ軸を回動可能に支持する軸受け部を備えたヒンジ軸受と、からなる遊技機において、
前記上ヒンジ機構のヒンジ軸受は、
当該ヒンジ軸受を固定するとともに前記軸受け部の一部が形成される固定部材と、
前記固定部材の一部の軸受け部を除く他部の軸受け部が形成され、前記ヒンジ軸を前記軸受け部に嵌脱可能な嵌脱位置と前記軸受け部が前記ヒンジ軸を回動可能に支持する支持位置とに移動可能に前記固定部材に設けられる移動部材と、
前記移動部材を支持位置側に付勢する付勢部材と、
を有し、
前記透明部材保持枠に前記移動部材の前記嵌脱位置への移動を阻止する移動阻止部材を設け、
前記移動阻止部材は、前記遊技盤取付枠と前記透明部材保持枠とが閉状態で前記移動部材の前記嵌脱位置への移動を阻止し、前記透明部材保持枠を開状態にすることで前記移動部材の前記嵌脱位置への移動を許容するようにしたことを特徴とする遊技機。
【請求項２】
前記上ヒンジ機構の前記ヒンジ軸受は、
前記固定部材に形成され、前記ヒンジ軸の周面に当接する一対の突起と、
前記移動部材に形成され、前記ヒンジ軸の周面に当接する軸受け凹部と、
を対向するように配することで形成した前記軸受け部を有し、
前記移動部材は、上下方向に移動可能であり、かつ、前記遊技盤取付枠の前面側から操作可能な位置にあって、
前記軸受け凹部が前記ヒンジ軸の周面に当接可能な前記支持位置と、
前記軸受け凹部が前記支持位置から上方に退避した前記嵌脱位置と、
に移動可能であって、前記付勢部材によって前記支持位置側へ付勢され、
前記移動阻止部材は、
前記遊技盤取付枠と前記透明部材保持枠とが閉状態で前記移動部材に形成された係合部に係合して前記移動部材の前記嵌脱位置への移動を阻止し、
前記透明部材保持枠が開状態で前記係合部から退避し、前記移動部材の前記嵌脱位置への移動を許容するようにしたことを特徴とする請求項１に記載の遊技機。
【請求項３】
前記透明部材保持枠に前記上ヒンジ機構を前方から覆うカバー部材を形成したことを特徴とする請求項１又は請求項２に記載の遊技機。
【発明の詳細な説明】
【技術分野】
【０００１】
本発明は、島設備に固定される機枠と、機枠に対して、上下のヒンジ機構により開閉可能かつ着脱可能に軸着される遊技盤取付枠を備えた遊技機に関する。
【背景技術】
【０００２】
一般に、パチンコ遊技機等の弾球遊技機は、機枠と、この機枠に対し回動可能に取り付けられる、遊技盤などの遊技機を構成する部品を備える本体枠からなり、機枠を遊技店に設けられた島設備に固定することで設置されるようになっている。本体枠と機枠は着脱可能であって、遊技機の入れ替えや、整備の際などの必要な場合には、機枠と本体枠の着脱作業が行われる。
従来、この機枠（外枠）と本体枠（前枠）との着脱作業を容易にするため、両者を連結する蝶着装置の軸受部側にロック部材を設け、このロック部材を操作することで支軸のロックを解除し外枠と前枠の連結を解除するようにした遊技機が提案されている（例えば、特許文献１参照）。
【特許文献１】特開平９−４７５５５号公報
【発明の開示】
【発明が解決しようとする課題】
【０００３】
特許文献１に示すような遊技機では、ロック部材における支軸のロックを解除する操作部分が前枠の裏面側に位置するようになっているので、前枠を取り外す際に、前枠を外枠に対して略直角になるまで開放しなければロック部材を操作するのが困難であった。
しかし、遊技機の正面に椅子が固定されている場合には、この椅子が障害となり、前枠を大きく開放した状態で着脱作業を行うのは作業性が悪かった。
【０００４】
本発明の課題は、島設備に固定される機枠と、機枠に対して上下のヒンジ機構により着脱可能に軸着される遊技盤取付枠を備えた遊技機において、遊技盤取付枠の着脱作業を容易にすることである。
【課題を解決するための手段】
【０００５】
以上の課題を解決するため、請求項１に記載の発明は、島設備に取り付けられ前面が開口した機枠と、該機枠に対して上下のヒンジ機構により開閉可能且つ着脱可能に軸着されるとともに遊技領域を形成する遊技盤が取り付けられる遊技盤取付枠と、該遊技盤取付枠に開閉可能に取り付けられ前記遊技盤の遊技領域を視認可能な開口部を形成するとともに、該開口部を塞ぐ状態で透明部材を保持する透明部材保持枠と、を備え、
前記上下のヒンジ機構が、前記機枠又は前記遊技盤取付枠の一方に設けられたヒンジ軸と、他方に設けられ、前記ヒンジ軸を回動可能に支持する軸受け部を備えたヒンジ軸受と、からなる遊技機において、
前記上ヒンジ機構のヒンジ軸受は、
当該ヒンジ軸受を固定するとともに前記軸受け部の一部が形成される固定部材と、
前記固定部材の一部の軸受け部を除く他部の軸受け部が形成され、前記ヒンジ軸を前記軸受け部に嵌脱可能な嵌脱位置と前記軸受け部が前記ヒンジ軸を回動可能に支持する支持位置とに移動可能に前記固定部材に設けられる移動部材と、
前記移動部材を支持位置側に付勢する付勢部材と、
を有し、
前記透明部材保持枠に前記移動部材の前記嵌脱位置への移動を阻止する移動阻止部材を設け、
前記移動阻止部材は、前記遊技盤取付枠と前記透明部材保持枠とが閉状態で前記移動部材の前記嵌脱位置への移動を阻止し、前記透明部材保持枠を開状態にすることで前記移動部材の前記嵌脱位置への移動を許容するようにしたことを特徴とする。
【０００６】
請求項１に記載の発明によれば、ヒンジ軸を回動可能に支持する軸受け部の一部は固定部材に、他部は移動部材に形成され、移動部材を支持位置と嵌脱位置とに移動させることで、機枠と遊技盤取付枠の着脱が容易になる。
また、移動部材が付勢部材によってヒンジ軸を支持する支持位置側に付勢されていることで、不用意に機枠から遊技盤取付枠が外れることがない。
また、透明部材保持枠に、遊技盤取付枠と透明部材保持枠とが閉状態で、移動部材の嵌脱位置への移動を阻止するとともに、透明部材保持枠を開状態にすると移動部材の嵌脱位置へ移動可能を許容する移動阻止部材を形成したので、透明部材保持枠を閉じた状態において、移動部材を移動することができないので不正行為を防止できる。また、透明部材保持枠を開放すれば、遊技盤取付枠がどの位置であっても移動部材を移動可能となり、遊技盤取付枠の傾斜調整作業や着脱作業の作業性が格段に向上する。
【０００７】
請求項２に記載の発明は、請求項１に記載の遊技機であって、前記上ヒンジ機構の前記ヒンジ軸受は、
前記固定部材に形成され、前記ヒンジ軸の周面に当接する一対の突起と、
前記移動部材に形成され、前記ヒンジ軸の周面に当接する軸受け凹部と、
を対向するように配することで形成した前記軸受け部を有し、
前記移動部材は、上下方向に移動可能であり、かつ、前記遊技盤取付枠の前面側から操作可能な位置にあって、
前記軸受け凹部が前記ヒンジ軸の周面に当接可能な前記支持位置と、
前記軸受け凹部が前記支持位置から上方に退避した前記嵌脱位置と、
に移動可能であって、前記付勢部材によって前記支持位置側へ付勢され、
前記移動阻止部材は、
前記遊技盤取付枠と前記透明部材保持枠とが閉状態で前記移動部材に形成された係合部に係合して前記移動部材の前記嵌脱位置への移動を阻止し、
前記透明部材保持枠が開状態で前記係合部から退避し、前記移動部材の前記嵌脱位置への移動を許容するようにしたことを特徴とする。
【０００８】
請求項２に記載の発明によれば、固定部材にヒンジ軸の周面に当接する一対の突起を形成し、移動部材にヒンジ軸の周面に当接する軸受け凹部を形成することで軸受け部を構成し、移動部材を軸受け凹部がヒンジ軸の周面に当接する支持位置と、上方に退避した嵌脱位置とに移動させることで、機枠と遊技盤取付枠の着脱が容易になる。
また、移動部材が付勢部材によってヒンジ軸を支持する支持位置側に付勢されていることで、不用意に機枠から遊技盤取付枠が外れることがない。
また、透明部材保持枠に、遊技盤取付枠と透明部材保持枠とが閉状態で、移動部材の嵌脱位置への移動を阻止するとともに、透明部材保持枠を開状態にすると移動部材の嵌脱位置へ移動可能を許容する移動阻止部材を形成したので、透明部材保持枠を閉じた状態において、移動部材を移動することができないので不正行為を防止できる。また、透明部材保持枠を開放すれば、遊技盤取付枠がどの位置であっても移動部材を移動可能となり、遊技盤取付枠の傾斜調整作業や着脱作業の作業性が格段に向上する。
【０００９】
請求項３に記載の発明は、請求項１または請求項２に記載の遊技機であって、前記透明部材保持枠に前記上ヒンジ機構を前方から覆うカバー部材を形成したことを特徴とする。
【００１０】
請求項３に記載の発明によれば、透明部材保持枠に上ヒンジ機構を覆うカバー部材を形成したので、上ヒンジ機構に触れられないようにすることができ、不正行為を防止できるとともに、けがを防止することができる。
また、上ヒンジ機構が見えないようにすることができるので、デザイン性が向上する。
さらに、透明部材保持枠の動作に伴ってカバー部材も移動するので、遊技盤取付枠の着脱作業の作業性が向上する。
【発明の効果】
【００１１】
本発明によれば、ヒンジ軸を回動可能に支持する軸受け部の一部は固定部材に、他部は移動部材に形成され、移動部材を支持位置と嵌脱位置とに移動させることで、機枠と遊技盤取付枠の着脱が容易になる。
また、移動部材が付勢部材によって支持位置側に付勢されていることで、不用意に機枠から遊技盤取付枠が外れることがない。
また、透明部材保持枠が閉状態で、移動部材の嵌脱位置への移動を阻止するとともに、透明部材保持枠を開状態にすると移動部材の嵌脱位置へ移動可能を許容する移動阻止部材を形成したので、透明部材保持枠が閉状態で移動部材を移動することができず不正行為を防止できる。また、透明部材保持枠を開放すれば遊技盤取付枠がどの位置であっても移動部材を移動可能となり、遊技盤取付枠の傾斜調整作業や着脱作業の作業性が格段に向上する。
【発明を実施するための最良の形態】
【００１２】
以下、この発明の実施形態について、図面を参照して説明する。
本実施形態の遊技機は、本発明をパチンコ遊技機としての封入球式遊技機に応用したものであり、例えば、遊技内容等は、従来のパチンコ遊技機と同様とすることが可能となっているとともに、外形等のサイズも同様となっており、パチンコ遊技店の現状の島設備に設置可能となっているが、島設備の球供給機構や球排出機構を用いることがないものとなっている。すなわち、封入球式遊技機として、予め封入された遊技球を用い、貸球機等を介してカード等の記憶媒体から入力されたデータ（貸球数のデータ）等に基づく遊技球数、すなわち、持球数のデータに対応して遊技球を遊技領域に発射可能とされ、遊技球を発射すると発射された遊技球数に対応して持球数のデータが減算されるようになっている。また、発射された遊技球が各種入賞口や変動入賞装置等の入賞具に入賞して賞球（遊技球）が発生した場合は、実際の遊技球を払い出すことなく、前記持球数のデータに賞球数が加算されるようになっている。また、持球数のデータが０となると、遊技球の発射ができない状態となる。この状態でカード等の記憶媒体に記憶された金額のデータや貯球のデータ等に基づいて、持球数のデータに数値（すなわち、貸球数もしくは再プレイ球数）が加算されると再び遊技球の発射が可能となる。
また、発射された遊技球は、遊技領域に至って一部は、入賞して遊技盤の裏面側に導かれてセーフ球として回収されるとともに、残りの入賞しなかった遊技球はアウト球として回収され、これら回収された遊技球が再び発射可能な状態となるようになっており、遊技球は封入球式遊技機内で循環するようになっている。
すなわち、この実施形態の遊技機は、発射位置の遊技球を遊技盤の前面側に形成される遊技領域に向けて発射するとともに、該遊技領域の入賞具に入賞して該遊技盤の裏面側に導かれたセーフ球および該入賞具に入賞しないアウト球の各々を回収して、再び該遊技領域に発射するようにした封入球式遊技機である。
【００１３】
図１から図３に示すように、本実施形態の封入球式遊技機１００は、矩形箱状に構成された、遊技店の島設備に取り付けられる機枠１１０を備えている。上述したように封入球式遊技機１００は、封入された遊技球を循環して使用するようになっているので、外部からの遊技球の供給や外部への遊技球の排出の必要がなく、単なる枠状ではなく背板がある箱状の機枠１１０を使用することが可能となっている。この機枠１１０の開口部には前面枠１２０が取り付けられている。機枠１１０と前面枠１２０の一側方には、上下にヒンジ機構が設けられており、このヒンジ機構によって機枠１１０が前面枠１２０を回動可能に軸支している。また、機枠１１０と前面枠１２０のヒンジ機構が設けられた側とは反対側の側方には、前面枠１２０を機枠１１０に施錠するための施錠装置１６０が設けられている。なお、ヒンジ機構、施錠装置１６０については後に詳しく説明する。
【００１４】
また、前面枠１２０は、当該前面枠１２０に備えられる各種部材等の取付用のベースとなる遊技盤取付枠１３０（本体枠、前面枠本体）と、当該遊技盤取付枠１３０に対して、その前面側に回動可能に軸支された透明部材保持枠（開閉枠）１４０と、遊技盤取付枠１３０の前面の透明部材保持枠１４０の下側に取り付けられた発射操作ユニット１５０とを有する。
【００１５】
遊技盤取付枠１３０は、矩形枠状の機枠１１０内にちょうど収まるように、概略矩形板状に構成されるとともに、その中央から上端部に渡る部分に後述する遊技盤１を嵌め込んで収容するための方形状の開口部１２１が形成されている。そして、遊技盤取付枠１３０に収容された遊技盤１の前面が遊技盤取付枠１３０の開口部１２１から前側に臨むようになっている。また、遊技盤取付枠１３０の遊技盤１が嵌め込まれた開口部１２１、すなわち、遊技盤取付枠１３０の中央より少し下側から上端部に渡る部分を覆って前記透明部材保持枠１４０が配置されており、遊技盤１の前面と前記透明部材保持枠１４０に嵌め込まれた透明部材としてのガラス板１４１，１４１との間で、遊技盤１の前面に設けられたガイドレール２に囲まれた部分が遊技球が発射されて流下する遊技領域１ａとされている。
【００１６】
また、透明部材保持枠１４０の一方の側部（左側部）は、後述するように遊技盤取付枠１３０の一方の側部に回動可能に軸支されて、扉状に開閉自在とされ、透明部材保持枠１４０を開くことにより、遊技盤１の前面側の遊技領域１ａの前側を開放可能となっている。
透明部材保持枠１４０には、遊技盤取付枠１３０の開口部１２１をほぼ閉塞するように、該開口部１２１に嵌め込まれた遊技盤１との間に遊技球が流下可能な遊技領域１ａとなる間隔を開けて二重のガラス板１４１，１４１が固定されている。そして、透明部材保持枠１４０において、封入球式遊技機１００の前側からガラス板１４１，１４１を介して遊技盤１の前面側の少なくとも遊技領域１ａの部分が視認可能となっている。
【００１７】
また、透明部材保持枠１４０の前面側には、遊技領域１ａの視認を妨げない位置に、図２に示すように、外部アピール装飾ランプ１１，…、サイドランプ１２，１２、スピーカ１３，１３、エラー表示器１４，１４（装飾ランプを兼ねる）等が設けられており、その他に遊技機１００を装飾する合成樹脂製の装飾部材１５なども設けられている。外部アピール装飾ランプ１１，…は、透明部材保持枠１４０の上部に、主に獲得遊技球数が大量となった場合に、これを周囲に報知するためのものである。例えば、入球数（遊技者が遊技機に打ち込んだ球数）と出球数（遊技球が入賞口等に入って出てきた賞球数）との差である差球数（差球数に遊技店が遊技者に貸した貸球数を加算した数値は、遊技者が持っている持球数であり、持球数は、ここでは、上述の遊技球の発射を可能とする遊技球数のデータ）に基づいて、差球数が高くなった場合に、外部アピール装飾ランプ１１，…が点灯するようになっている。なお、上述のように封入球式遊技機１００では、上述のように賞球の払い出しは行われず、上述の出球数、入球数、差球数、持球数（遊技球数）等は、実際の遊技球の個数ではなく、データ上の数値となる。すなわち、実際に使用される遊技球は、循環使用される限られた所定数（例えば、２５個）しかなく、持球数は、例えば、遊技領域に発射される遊技球を検知してカウントした発射球数、発射されたが戻ってしまった遊技球を検知してカウントしたファール球数、遊技領域に発射されて回収された遊技球を検知してカウントした回収球数、入賞した場合の賞球数、遊技店から借りた貸球数等の数値から上述の入球数、出球数、差球数、持球数が得られる。
【００１８】
なお、透明部材保持枠１４０を開放して遊技球が外に出てしまう等のトラブルがない限り、発射球数＝ファール球数＋回収球数（回収球数がファール球数を含まない場合）となる。そして、入球数＝回収球数＝発射球数−ファール球数となり、出球数＝賞球数（積算値）＝入球数−貸球数（再プレイ球数）＋持球数となり、持球数＝貸球数（もしくは再プレイ球数）＋出球数−入球数、出球数−入球数＝差球数、持球数＝貸球数（もしくは再プレイ球数）＋差球数となる。以上のように封入球式遊技機１００による遊技は、完全にデータ上の数値として行われることになり、遊技球をこぼしたり、遊技球を下皿や上皿に残したりすることによる誤差が生じることがなく、整数単位で確実に管理可能となる。しかし、多数の遊技球を得て、これを遊技球箱に溜めることにより遊技者が得られる満足感や優越感といったものが、持球数という数値の増加では得難い。そこで、外部アピール装飾ランプ１１，…は、遊技者が満足感や優越感を得られるように用いられる。
【００１９】
外部アピール装飾ランプ１１，…の動作をより具体的に説明すると、例えば、持球数もしくは差球数が１０００個以上になると、外部アピール装飾ランプ１１，…のうちの１つが所定の発光色（たとえば緑）で点灯し、持球数もしくは差球数が２０００個以上となると外部アピール装飾ランプ１１，…のうちの２つが点灯するとともに、発光色を変更するといように、持球数もしくは差球数が所定数ずつ増えるたびに外部アピール装飾ランプ１１，…の点灯数を増加し、かつ、発光色を変更し、遊技店内の遊技者等に差球数が多い台を知らせるとともに、その台で遊技する遊技者が多くの遊技球数を獲得していることをアピールするようになっている。
また、サイドランプ１２，１２及びエラー表示器１４，１４は、遊技状態に対応して点灯、点滅、発光色の変更等の演出を行う。また、エラー表示器１４，１４は、エラー発生時に通常と異なる発光を行うことによりエラー発生を報知する。
【００２０】
また、遊技盤取付枠１３０の前面側の透明部材保持枠１４０の下側には、発射操作ユニット１５０が取り付けられている。発射操作ユニット１５０には、タッチパネル表示ユニット１５１、ハンドルタッチ検出部１５２、発射スライドボリューム１５３、見せ球装飾部１５４、スピーカ１５５、及びこれらの部材を保持するとともに発射装置操作用のポケット状の凹部１５８（空間）を形成する発射操作空間形成枠１５９が設けられている。
タッチパネル表示ユニット１５１は、表示装置としての液晶ディスプレイを有するもので、基本的な機能として、持球数の情報、金額情報（カード等の記憶媒体に記憶された残額等）、貯球情報（景品と交換せずに遊技店側に貯蓄した遊技球数等）等の遊技情報を表示し、実際の遊技球の払い出しがなくても、いつでも、持球数を確認できるようにするとともに、遊技者や遊技店の店員等に対してエラーの発生を含む各種情報を表示可能となっている。また、タッチパネル表示ユニット１５１は、タッチパネルとして、表示切替や、その他の表示内容に対応した入力操作を可能とするものである。なお、タッチパネル表示ユニット１５１は、封入球式遊技機１００の左右方向に設定された回転軸回りに回転して傾きを調整できるようになっており、遊技者の体格等に対応して遊技者が見やすい角度に変更可能となっている。
【００２１】
また、本実施形態の封入球式遊技機１００においては、従来のパチンコ遊技機に設けられた遊技球の発射を操作するための回転操作式の操作ハンドルに代えて、前記ハンドルタッチ検出部１５２，１５２及び発射スライドボリューム１５３を有する。
前記ハンドルタッチ検出部１５２，１５２には、従来の操作ハンドルに設けられていたタッチセンサを有するものであり、遊技者の手を接触させることにより、信号を発射制御装置に出力し、発射制御装置の制御の元に発射装置を作動させて遊技球を発射させるものである。
【００２２】
また、ハンドルタッチ検出部１５２，１５２は、透明部材保持枠１４０の下側で前側に膨出した状態の発射操作空間形成枠１５９の左右側部で、膨出した部分にポケット状の凹部１５８を形成し、この凹部１５８の内面のうち、主に遊技機の前方側で後方を向いた部分にタッチセンサを形成したものがハンドルタッチ検出部１５２，１５２となっている。また、ポケット状の凹部１５８の底面部分は、遊技者の手をおけるように凹部内より外側に延出した状態となっており、凹部に手を入れてタッチセンサに触れた状態で楽に手を凹部の底面におけるようになっている。すなわち、凹部の底面は、アームレスト１５８ａ（ハンドレスト）として機能する。また、ハンドルタッチ検出部１５２，１５２は、封入球式遊技機１００の下部の発射操作ユニット１５０の左右にそれぞれ設けられているので、右手でも左手でも遊技球の発射の操作が可能となっている。
【００２３】
また、従来、発射勢の調整は、操作ハンドルを回転することにより行われていたが、この例の封入球式遊技機１００では、上下にスライド移動可能な操作レバー１５６を備えた発射スライドボリューム１５３により発射勢を調整できるようになっており、上下に移動可能な発射スライドボリューム１５３の操作レバー１５６を上もしくは下に移動すると発射勢が強くなり、逆に移動すると発射勢が弱くなるようになっている。なお、操作レバー１５６は、任意の位置で止められるようになっており、手を離してもバネ等により発射勢を最低とする位置に戻ることがないので、一度、遊技者が発射勢を決めたら、操作レバー１５６から手を離して、ハンドルタッチ検出部１５２，１５２に手を触れるだけで遊技球が発射可能となる。
【００２４】
見せ球装飾部１５４は、遊技球を払い出すパチンコ遊技機における上皿に溜まった遊技球の減少や増加による流動等を仮想的に表現するものである。
すなわち、遊技球を順次発射した際や、遊技球が入賞した際に、タッチパネル表示ユニット１５１に表示される持球数の増減だけで、パチンコ遊技機の上皿に溜まった遊技球の発射による減少や、賞球の払い出しによる増加を実感しずらいので、見せ球装飾部１５４で、遊技球の移動を仮想的に再現することで、遊技者に対して遊技球の増減を実感しやすい状態とする。
【００２５】
なお、見せ球装飾部１５４は、例えば、遊技球の増減を遊技球の移動で表現するものであり、実際の遊技球を循環移動させることにより表示しても良いし、ディスプレイとして画像により遊技球の移動を表示するものとしても良いし、擬似的にランプの点滅等で遊技球の移動を表現するものとしても良い。
【００２６】
そして、以上のような封入球式遊技機において、遊技盤取付枠１３０の開口部１２１に嵌め込まれた遊技盤１の前面側の遊技領域１ａにおいて遊技が行われることになる。
すなわち、封入球式遊技機１００は、遊技盤１のガイドレール２で囲まれた遊技領域１ａ内に遊技球（打球；遊技媒体）を発射して遊技を行うものであり、該遊技領域１ａには、図１に示すように、普図始動ゲート６，６、この普図始動ゲート６，６を遊技球が通過して普図変動表示ゲームが未処理となっている未処理回数を表示する普図始動記憶表示器（図示略）、普通図柄（普図）の変動表示ゲームを表示する普図変動表示器（図示略）、普通変動入賞装置９、この普通変動入賞装置９に遊技球が入賞して特図変動表示ゲームが未処理となっている未処理回数を点灯表示する特図始動記憶表示器（図示略）、特別図柄（特図、識別情報）の変動表示ゲームの表示等を行う変動表示装置４、特別変動入賞装置５、一般入賞口８，…、風車と呼ばれる打球方向変換部材（図示略）、多数の障害釘（図示省略）などが設けられている。
【００２７】
なお、本発明の封入球式遊技機１００の遊技盤１においては、遊技領域１ａをその下端部まで流下しても入賞しなかった遊技球としてのアウト球を遊技領域１ａの下端部において遊技盤１の裏面側に導くアウト穴が設けられておらず、その代わりに遊技盤１の前面で遊技領域１ａを囲むガイドレール２が、遊技領域１ａの下端部で設けられていない構成、すなわち、ガイドレール２の遊技領域１ａの下側を囲む部分に、切欠部が設けられる構成となっており、入賞しなかった遊技球は、遊技盤１の下端部の中央部分で、遊技盤１の前面側の遊技領域１ａからそのまま遊技領域１ａの外側（下側）に設けられた封入球循環装置（図示略）に流下するようになっている。
【００２８】
前記普通変動入賞装置９は左右一対の開閉部材を具備し、この開閉部材は、常時は遊技球が１個流入可能な程度の間隔で閉じた状態（遊技者にとって不利な状態）を保持しているが、普図変動表示器の普図変動表示ゲームの結果が所定の停止表示態様（例えば、「７」）となった場合には、逆「ハ」の字状に開いて普通変動入賞装置９に遊技球が流入し易い状態（遊技者にとって有利な状態）に変化されるようになっている。
この普通変動入賞装置９は、特図の始動入賞口も兼ねている。すなわち、普通変動入賞装置９の内部（入賞領域）に備えられた特図始動センサ（図示略）により遊技球を検出することに基づき始動条件が成立し、特図の変動表示ゲームが開始されるようになっている。
【００２９】
また、普図始動ゲート６，６内には、該普図始動ゲート６，６を通過した遊技球を検出するための普図始動センサが設けられている。
そして、遊技領域１ａ内に打ち込まれた遊技球が、普図始動ゲート６，６内を通過すると、普図変動表示器において普図の変動表示ゲームが行われる。
ここで、普図変動表示器は、例えば、ＬＥＤなどによって構成され、普通図柄（例えば、数字、記号、キャラクタ図柄など）の変動表示ゲームは、普図変動表示器の点灯状態を所定時間変動表示させた後、停止表示させることにより行うようになっている。
この普図の変動表示ゲームの結果、普図変動表示器における停止表示が特別の結果態様となれば、普図の当りとなって、普通変動入賞装置９の開閉部材が所定時間（例えば、０.５秒間）上述のように開放される。これにより、普通変動入賞装置９に遊技球が入賞しやすくなり、特図の変動表示ゲームの始動が容易となる。
【００３０】
また、特図の変動表示装置４は、例えば、図１に示す液晶ディスプレイ４１を備え、表示内容が変化可能な表示画面４２を有している。
そして、遊技領域１ａ内に打ち込まれた遊技球が特図の始動口を兼ねる普通変動入賞装置９へ進入して始動条件が成立することに基づき、表示画面４２にて複数種類の識別情報（例えば、数字、記号、キャラクタ図柄など）を変動表示させる特図の変動表示ゲームを実行可能となっている。なお、特図の変動表示ゲームは、表示画面４２において、複数種類の識別情報を所定時間変動表示させることにより行う。
そして、この特図の変動表示ゲームの結果として、表示画面４２の表示態様が特別結果態様（例えば、「７，７，７」等のゾロ目数字の何れか）となった場合には、大当たりとなって特別遊技状態（いわゆる、大当たり状態）となる。
【００３１】
ここで、特別変動入賞装置５は、上端側が手前側に倒れる方向に回動して開放可能になっているアタッカー形式の開閉扉によって開閉される大入賞口を備えていて、特別遊技状態中は、大入賞口を閉じた状態から開いた状態に変換することにより大入賞口内への遊技球の流入を容易にさせるサイクル遊技が、所定回数（所定ラウンド数）を限度に行われる。
また、大入賞口の内部（入賞領域）には、該大入賞口に入った遊技球を検出するためのカウントセンサと、大入賞口に入った遊技球のうち継続入賞領域（Ｖ入賞領域）に流入した遊技球を検出するための継続センサが配設されている。
なお、各一般入賞口８，…の内部（入賞領域）には、該一般入賞口８，…に入った遊技球を検出するための入賞口センサが配設されている。
【００３２】
ここで、遊技領域１ａ内に打ち込まれた遊技球が、一般入賞口８、普通変動入賞装置９、特別変動入賞装置５の大入賞口等の入賞口の何れかに流入して入賞が発生すると、該入賞した遊技球が各入賞口のセンサにより検出され、該検出に基づき、各入賞口に対応して設定された所定の賞球数が、上述の遊技球数（持球数）のデータに加算される。
【００３３】
従って、特別遊技状態中に上記のサイクル遊技を行うことにより、遊技者は高い遊技球数（特定の遊技価値）の獲得機会を得る。
すなわち、封入球式遊技機１００はパチンコ遊技機として、特図変動表示ゲームの結果、予め定められた特別結果態様となった場合に（大当りとなった場合に）、遊技者に特定の遊技価値を付与可能な特別遊技状態を発生可能に構成されている。
【００３４】
遊技盤取付枠１３０の裏面であって、開口部１２１の下側には、遊技球を発射する発射装置（図示略）や発射装置を制御する発射制御装置（図示略）、発射装置により発射された遊技球（アウト球、セーフ球、ファール球）を回収して再び発射装置に供給する封入球循環装置（図示略）が設けられている。
また、封入球式遊技機１００内の各装置に電力を供給する電源基板、遊技盤１以外の前面枠１２０に備えられた装置（例えば、外部アピール装飾ランプ１１，…、タッチパネル表示ユニット１５１、見せ球装飾部、封入球循環装置、外部とのデータの通信装置）の制御を行う第１枠制御基板（図示略）及び第２枠制御基板（図示略）が設けられている。
また、遊技盤１の裏面側には、遊技内容に係わる制御を統括的に行う遊技制御基板（図示略）及びその制御下で遊技の演出に係わる制御を行う演出制御基板（図示略）が設けられている。従って、遊技内容の制御に関する制御装置は遊技盤１に設けられており、遊技盤１を交換することにより、遊技内容に係わらない装置をそのまま流用して遊技内容だけを変更することが可能である。
【００３５】
以上のような封入球式遊技機１００においては、以下のように遊技領域１ａに遊技球が発射され、発射された遊技球が回収されて循環使用されることになる。
封入球循環装置から発射装置に供給された遊技球は、発射装置により遊技盤１前面側の遊技領域１ａの下側から内外二本のガイドレール２の間を通って、遊技領域１ａ内に発射される。そして、遊技領域１ａ内に発射された遊技球は、遊技領域１ａ内を流下し、発射された一部の遊技球が普通変動入賞装置９、特別変動入賞装置５、一般入賞口等の入賞口に流入して入賞し、遊技盤１の裏面側に導かれてセーフ球となり、遊技盤１の裏面側の図示しないセーフ球の排出経路を通って遊技盤１の下側に流下する。
【００３６】
一方、遊技領域１ａ内を流下しても入賞することなく、遊技領域１ａの下端部に至った遊技球は、アウト球として、遊技盤１の前面側下端部のガイドレール２が設けられていない中央部分から遊技盤１の下側に流下する。すなわち、アウト球は、遊技盤１の前面側から遊技盤１の下側に流下する。
そして、遊技盤１の下側に流下したアウト球及びセーフ球は、それぞれ封入球循環装置で回収され、封入球循環装置内に流入する。一方、発射装置で発射されたにも係わらず、遊技領域１ａを流下せずに戻ったファール球としての遊技球も、封入球循環装置で回収され、封入球循環装置内に流入し、上述の回収球としての遊技球と合流する。
【００３７】
封入球循環装置内に形成された経路に沿って遊技球は流下、待機し、発射装置の発射動作に連動して発射位置に供給される。発射装置にセットされた遊技球は遊技領域１ａに発射され、再び上述の経路を辿り循環使用される。
【００３８】
以上のことから、封入球式遊技機１００は、封入球循環装置を有することにより、内部に所定数の遊技球を封入しておき、遊技球を発射位置から遊技領域１ａに向けて発射し、発射した遊技球を再び回収して発射位置に導くことにより遊技球を循環使用すると共に、遊技者が所有する持球数を示す持球情報に基づいて遊技球の発射が可能となるものである。
【００３９】
次に、機枠１１０に前面枠１２０を回動可能に取り付けるヒンジ機構について説明する。ヒンジ機構は、機枠１１０と前面枠１２０の一側方の上下にそれぞれ形成されており、図１１及び図１２に示すように、一方にヒンジ軸が形成され、他方に軸受け部２３０を備えるヒンジ軸受２００が形成されていて、ヒンジ軸１８５を軸受け部２３０に回動可能に嵌合することで機枠１１０に対し前面枠１２０（遊技盤取付枠１３０）を回動可能に軸支するものである。なお、前面枠１２０側のヒンジ機構は、遊技盤取付枠１３０に形成されている。
【００４０】
図３に示すように、機枠１１０の前面側から見て左側方には、下側に下ヒンジ機構の一部としてのヒンジ軸１１１が設けられている。
このヒンジ軸１１１は、遊技盤取付枠１３０の前面側から見て左側方の下側に形成された図示しない軸受け部に回動可能に嵌合することで、図１に示すように前面枠１２０を軸支するものである。
【００４１】
また、図６から１３に示すように、遊技盤取付枠１３０の前面側から見て左側方の上側には、上ヒンジ機構１８０の一部としてのヒンジ軸形成部材１８１が設けられている。
このヒンジ軸形成部材１８１は、Ｌ字形板状の部材で、直角に屈折した部分を境にして一方が、遊技盤取付枠１３０の上面に配されるヒンジ軸１８５が形成されたヒンジ軸形成板１８２とされ、他方が、遊技盤取付枠１３０の裏面に配され、ヒンジ軸形成部材１８１を遊技盤取付枠１３０に固定する固定板１８３とされている。固定板１８３にはねじ孔１８４が形成されており、ねじによってヒンジ軸形成部材１８１が遊技盤取付枠１３０に固定される。
【００４２】
ヒンジ軸形成板１８２には、円柱状のヒンジ軸１８５がヒンジ軸形成板１８２の板面に対して垂直に形成されており、上述のようにヒンジ軸形成板１８２を遊技盤取付枠１３０の上面に沿うように配することで、遊技盤取付枠１３０の上下方向に沿って延在するようにヒンジ軸１８５が配される。なお、ヒンジ軸１８５の先端は、角部が面取りされて（先端に向かって径が細くなって）おり、後述する軸受け部２３０への着脱作業が容易になるようにされている。
また、ヒンジ軸形成板１８２には、透明部材保持枠１４０に設けられたヒンジ軸１４４を保持する軸受け孔１８６が形成されている。
【００４３】
そして、図３に示すように、機枠１１０の前面側から見て左側方の上側には、上ヒンジ機構１８０の一部としてのヒンジ軸受２００が設けられている。このヒンジ軸受２００は、図４，５に示すように、固定部材２０１と移動部材２１０と付勢部材としての圧縮コイルばね２２０を有し、機枠１１０の前面側に前部が突出するように機枠１１０に固定されている。
【００４４】
固定部材２０１は、機枠１１０に固定されるベース部２０２とベース部２０２に連続して形成されたヒンジ軸受形成部２０３とからなる。
ベース部２０２は直角に屈折したＬ字型板状の部材で、機枠１１０にねじで固定するためのねじ孔２０４を有し、機枠１１０の外周面の角部に固定されるものである。
なお、機枠１１０の前面側から見て左上角部には、このベース部２０２を配するためのベース部配設凹部１１２が形成されている。このベース部配設凹部１１２は、機枠１１０の左上角部の外面であって、ベース部２０２が配される範囲にわたって形成された、ベース部２０２の板厚と同じ深さの凹部である。これによって、ベース部２０２を機枠１１０に取り付けた際に、このベース部配設凹部１１２にちょうど収まり、ベース部２０２の外側面と機枠１１０の外側面が同一面をなすようになる。
【００４５】
そして、Ｌ字形板状のベース部２０２の一端部には、ヒンジ軸受形成部２０３が形成されている。
ヒンジ軸受形成部２０３は、ベース部２０２を機枠１１０に取り付けた際に、機枠１１０の上面に沿って配される面を前側に延設するように連続して形成されたものであって、機枠１１０の前面側に突出するように配される。
ヒンジ軸受形成部２０３の一側部であって、機枠１１０の角部側に配される一側部は、ベース部２０２が直角に屈折した部分から、機枠１１０の側面を形成する板材の厚みと略同じ距離だけ離れた部分で、ベース部２０２の屈折方向と同じ方向（下方向）に直角に屈折し、ベース部２０２のヒンジ軸受形成部２０３が連続していない面と平行な面を形成している。すなわち、ヒンジ軸受形成部２０３も直角な屈折部分を有するＬ字形板状であって、その屈折部分の延在方向は、ベース部２０２の直角な屈折部分の延在方向（前後方向）と平行になっている。
また、ヒンジ軸受形成部２０３の直角に屈折した一側部に対向する他側部は、前側の角部が円弧状に形成されており、後述する透明部材保持枠１４０のカバー部材１４２と干渉しないようになっている。
【００４６】
Ｌ字型に形成されたヒンジ軸受形成部２０３の前面枠１２０（遊技盤取付枠１３０）が配される側（内側）であって、機枠１１０の上面に平行な面（以下、この面をヒンジ軸受形成部の下面２０３ａとする）には、後述する移動部材２１０を取り付けるための移動部材取付部２０５、付勢部材としての圧縮コイルばね２２０を取り付ける図示しない第１付勢部材取付部が形成されている。
【００４７】
移動部材取付部２０５は、ヒンジ軸受形成部２０３の下面に対して垂直に延在するように形成された円柱であって、ヒンジ軸受形成部２０３の下面の前後にそれぞれ一つずつ形成されている。この移動部材取付部２０５を、後述する移動部材２１０の取付孔２１１に上下動自在に嵌合することで、移動部材２１０をヒンジ軸受形成部２０３に対して上下方向に案内することができる。また、移動部材取付部２０５の端面には、ねじ孔が形成されており、このねじ孔に、取付孔２１１の内径よりも大きい頭の径を有するねじ２０６を取り付けることで、移動部材２１０を上下移動可能にヒンジ軸受形成部２０３に取り付けることができる。
【００４８】
第１付勢部材取付部は、後述する移動部材２１０をヒンジ軸受形成部２０３に取り付けた際に、移動部材２１０に形成された第２付勢部材取付部２１２と対向する位置に形成されており、付勢部材としての圧縮コイルばね２２０の一端を固定するものである。その形状は後述する第２付勢部材取付部２１２と同じ形状となっている。
なお、第１付勢部材取付部は、後述する第２付勢部材取付部２１２と同様の構造でなくとも良く、単に、ヒンジ軸受け形成部の下面２０３ａに圧縮コイルばね２２０の一端部が当接するだけで固定しないものとし、この当接する部分（平面）を第１付勢部材取付部としても良い。
【００４９】
また、ヒンジ軸受形成部２０３の内側であって、機枠１１０の側面に平行な面（以下、この面をヒンジ軸受形成部の内側面２０３ｂとする）には、軸受け部２３０の一部をなす半球状突起２０７が形成されている。この半球状突起２０７は、一対の半球状突起２０７，２０７（隣接する二つの半球状突起２０７，２０７）がヒンジ軸１８５の周面に当接することでヒンジ軸１８５を保持するものである。半球状突起２０７は、ヒンジ軸受形成部２０３の内側面の前後方向に沿って４つ形成されていて、これによって後述する軸受け凹部２１３とともに軸受け部２３０を前後方向に沿って３つ形成できるようになっている。
【００５０】
そして、ヒンジ軸受形成部２０３の下面２０３ａには、軸受け部２３０の他部をなす移動部材２１０が上下移動可能に取り付けられている。
移動部材２１０は、略扇形板状の部材であって、移動部材２１０の上面とヒンジ軸受形成部２０３の下面２０３ａとが平行になるように、かつ、円弧状になった側面がヒンジ軸受形成部２０３の円弧状の側部と同じ側に配されるように取り付けられている。
この移動部材２１０は、移動部材２１０を固定部材２０１に取り付けるための取付孔２１１、付勢部材（圧縮コイルばね２２０）を取り付けるための第２付勢部材取付部２１２、ヒンジ軸１８５を支持する軸受け部２３０の他部をなす軸受け凹部２１３、ヒンジ軸１８５が当接し押圧する押圧部２１４、該ヒンジ軸１８５を軸受け部２３０に案内するガイド部２１５とを有する。また、移動部材２１０の上下方向への移動を阻止する後述の移動阻止部材１４３と係合する係合部２１６を有する。
【００５１】
取付孔２１１は、移動部材２１０の前後にそれぞれ一つずつ、ヒンジ軸受形成部２０３の上述の移動部材取付部２０５が形成された位置に対応して、略扇形板状である移動部材２１０の板面の延在方向に直交する方向に沿って形成された円形の孔で、上述の移動部材取付部２０５と嵌合可能な内径を有する。この取付孔２１１と円柱状の移動部材取付部２０５とを上下動自在に嵌合し、移動部材取付部２０５の端部に形成されたねじ孔に、取付孔２１１の内径よりも大きい頭の径を有するねじを取り付けることで、移動部材２１０が上下移動可能にヒンジ軸受形成部２０３に取り付けられる。
【００５２】
なお、移動部材２１０の円弧状になった側面の側に形成された取付孔２１１は、移動部材２１０の側方に突出するとともに、移動部材２１０の厚み（上下幅）の略半分の厚みを有し、後述の移動阻止部材１４３が係合する係合部２１６よりも下側に形成されている。これによって、後述する透明部材保持枠１４０のカバー部材１４２や、カバー部材１４２に形成される移動阻止部材１４３が干渉することがないようにしている。
【００５３】
移動部材２１０のヒンジ軸受形成部２０３の下面２０３ａと対向する側（上側）には、凹部２１７が形成されていて、この凹部２１７の底面に第２付勢部材取付部２１２が形成されている。第２付勢部材取付部２１２は、凹部２１７の底面に対して垂直に形成された円柱状の突起で、付勢部材としての圧縮コイルばね２２０の内径と略等しい直径を有し、圧縮コイルばね２２０と嵌合することで圧縮コイルばね２２０を移動部材２１０に取り付けるようになっている。
【００５４】
そして、移動部材２１０をヒンジ軸受形成部２０３に取り付けた際に、この第２付勢部材取付部２１２と対向するヒンジ軸受形成部２０３の下面２０３ａには、第２付勢部材取付部２１２と同様の円柱状の突起である、図示しない第１付勢部材取付部が形成されている。これら第１、第２付勢部材取付部によって、ヒンジ軸受形成部２０３と移動部材２１０との間に付勢部材としての圧縮コイルばね２２０が配されることで、両者は互いに離れる方向に付勢されるようになっている。すなわち、付勢部材は、上下移動可能な移動部材２１０を下方向に付勢するように配されている。
【００５５】
軸受け凹部２１３は、移動部材２１０の側面のうち、移動部材２１０をヒンジ軸受形成部２０３に配した際に、ヒンジ軸受形成部２０３の内側面２０３ｂと対向する一側面に形成され、軸受け部２３０の他部を形成するものである。この軸受け凹部２１３は、略扇形板状である移動部材２１０の板面の延在方向に直交する方向（上下方向）に沿って形成された、断面形状が半円形となった樋状の凹部であって、前後方向に３つ並列するように形成されている。
上述したようにヒンジ軸受形成部２０３の内側面２０３ｂには、半球状突起２０７が前後方向に沿って４つ形成されているが、軸受け凹部２１３は一対の半球状突起２０７，２０７（隣接する二つの半球状突起２０７，２０７）と対向するような位置に配されるようになっている。すなわち、一対の半球状突起２０７，２０７と一つの軸受け凹部２１３とで一つの軸受け部２３０を形成し、４つの半球状突起２０７と３つの軸受け凹部２１３で、前後方向に沿って３つの軸受け部２３０を形成するようになっている。
そして、上下移動可能な移動部材２１０が、下側の位置である支持位置にあるときには、一対の半球状突起２０７，２０７と軸受け凹部２１３がちょうど対向するように位置し、軸受け部２３０でヒンジ軸１８５を支持可能となる。また、移動部材２１０が、上側の位置である嵌脱位置にあるときには、軸受け部２３０に対して軸受け凹部２１３のある側からヒンジ軸１８５を嵌脱可能となる。
なお、本実施形態の遊技機１００では、隣接する軸受け部２３０どうしの中心の間隔は約７ｍｍとされ、ヒンジ軸１８５を嵌合させる軸受け部２３０を、隣接する軸受け部２３０に変更することで約０．５度傾斜角度を変更できるようになっている。
【００５６】
押圧部２１４は、移動部材２１０をヒンジ軸受形成部２０３に取り付けた際に、移動部材２１０の下面をなす板面であって、後述するようにヒンジ軸１８５を軸受け部２３０に嵌合させる際に、ヒンジ軸１８５が当接、押圧して移動部材２１０を支持位置から嵌脱位置へ移動させる部分である。この押圧部２１４は、軸受け凹部２１３が形成された側に向かって下る傾斜を有している。すなわち、移動部材２１０は軸受け凹部２１３が形成された側の厚みが厚くなった形状となっていて、軸受け凹部２１３と対向する側から容易にヒンジ軸１８５を受け入れられるようになっている。
【００５７】
そして、この押圧部２１４には、軸受け凹部２１３に連続し、軸受け凹部２１３が形成された一側面に直交する方向（左右方向）に延在する溝状の部分であるガイド部２１５が形成されている。
ガイド部２１５は、押圧部２１４の左右方向の略中央から軸受け凹部２１３が形成された側面にかけて形成されており、３つの軸受け凹部２１３のそれぞれに対応するように３条形成されている。この溝状の部分であるガイド部２１５にヒンジ軸１８５の先端部を入れることでヒンジ軸１８５が案内され、確実にヒンジ軸１８５を所望の軸受け部２３０に嵌合させることができる。なお、ガイド部２１５の底面は、押圧部２１４に連続し、ヒンジ軸１８５に押圧される部分であることから、この部分を押圧部２１４に含んでも良い。
【００５８】
係合部２１６は、略扇形板状である移動部材２１０の円弧状となった側面であって、軸受け凹部２１３が形成される一側面に対向する位置に、移動部材２１０の上面に連続して外周方向へ向かって鍔状に突出するように形成されている。この係合部２１６は、移動部材２１０をヒンジ軸受形成部２０３に取り付けた際に、ヒンジ軸受形成部２０３の側端より側方に突出するようになっていて、後述する移動阻止部材１４３が係合部２１６の上側に係合し、移動部材２１０の上方向への移動（嵌脱位置への移動）を阻止できるようにされている。
【００５９】
なお、ヒンジ軸受形成部２０３は、遊技盤取付枠１３０を機枠１１０に取り付けて閉じた状態において、先端部が遊技盤取付枠１３０の前面よりも前側に突出しており、このヒンジ軸受形成部２０３の下面２０３ａに設けられる移動部材２１０の一部も、遊技盤取付枠１３０の前面よりも前側に位置している。よって、遊技盤取付枠１３０の前面側から移動部材２１０を操作して（手で押し上げて）、支持位置から嵌脱位置へ移動させることが可能となっている。
【００６０】
透明部材保持枠１４０は、その前面側から見て左側方の上下部分が、遊技盤取付枠１３０の左側方に回動可能に取り付けられている。
透明部材保持枠１４０の左側方の下側には、図示しない軸受け孔が形成されていて、ここに遊技盤取付枠１３０の開口部１２１の左下部に設けられた図示しないヒンジ軸が回動可能に嵌合することで、回動可能に軸支されるようになっている。
また、透明部材保持枠１４０の左側方の上側には、図９に示すように、ヒンジ軸１４４が設けられていて、このヒンジ軸１４４を、上述した遊技盤取付枠１３０のヒンジ軸形成板１８２の軸受け孔１８６に回動可能に嵌合することで、透明部材保持枠１４０が遊技盤取付枠１３０に対して回動可能に保持される。
なお、透明部材保持枠１４０の左側方の上側に設けられたヒンジ軸１４４は、上下方向に可動であって、透明部材保持枠１４０の上面から上方に突出する状態と、透明部材保持枠１４０の内部に収納された状態とに変換可能となっている。また、ヒンジ軸１４４の下部はＬ字形に屈折しており、透明部材保持枠１４０の裏面側から操作できるようになっている。このようにヒンジ軸１４４が上下方向に可動であることで、透明部材保持枠１４０の着脱作業を容易に行うことができる。また、このヒンジ軸１４４は図示しない付勢部材によって上方に突出する状態となるように付勢されており、ヒンジ軸１４４が常に遊技盤取付枠１３０の軸受け孔１８６に嵌合した状態で保持されるようになっている。
【００６１】
また、透明部材保持枠１４０の前面側から見て左側方の上側には、ヒンジ軸受２００を覆うとともに移動部材２１０の嵌脱位置への移動を阻止する移動阻止部材１４３を有する合成樹脂製のカバー部材１４２が設けられている。
図９、１０に示すように、カバー部材１４２は略矩形箱型であって、左右方向外側の壁が固定部材２０１（ヒンジ軸受形成部２０３）より所定間隔離れて配設されているとともに、後側が切り欠かれている。すなわち、カバー部材１４２は略矩形箱型であって、透明部材保持枠１４０を閉じた状態において、ヒンジ軸受形成部２０３の前面側から見て後方および左方の一部を除く部分を覆うようになっている。これによって、透明部材保持枠１４０を閉じた状態では、図１０に示すようにカバー部材１４２、固定部材２０１のヒンジ軸受形成部２０３によって、軸受け部２３０が完全に覆われた状態となり、不正に遊技盤取付枠１３０を取り外す行為を防止することができる。また、カバー部材１４２が上述のような形状であることで、外側の壁が着脱時の邪魔にならず、また、外側の壁が着脱時のガイドになる。
なお、透明部材保持枠１４０を開いた状態にすると、図１２に示すように、カバー部材１４２がヒンジ軸受２００から外れて、ヒンジ軸受２００が露出した状態となり、後述するように遊技盤取付枠１３０の着脱作業を行うことができるようになる。
【００６２】
また、図７、１１に示すように、カバー部材１４２の内側であって、透明部材保持枠１４０を閉じた状態（機枠１１０と平行な状態）で上述の移動部材２１０の係合部２１６に隣接する位置には、係合部２１６の上側に係合可能なリブ状の突起である移動阻止部材１４３が形成されている。すなわち、透明部材保持枠１４０には遊技機１００を装飾する装飾部材１５が設けられ、カバー部材１４２と前記装飾部材１５を合成樹脂により一体成形し、前記カバー部材１４２の内壁部に移動阻止部材１４３を形成している。この移動阻止部材１４３は、透明部材保持枠１４０を閉じた状態において、移動部材２１０の係合部２１６の上側に係合し、移動部材２１０が上方向へ移動（嵌脱位置へ移動）することを阻止するものである。これによって、透明部材保持枠１４０を閉じた状態では、遊技盤取付枠１３０の着脱ができないこととなり、不正な遊技盤取付枠１３０の取り外しや、意図しない遊技盤取付枠１３０の脱落を防止できる。
【００６３】
そして、図１２に示すように、透明部材保持枠１４０を開いた状態にすると、移動阻止部材１４３が移動部材２１０の係合部２１６の上側から退避し、移動部材２１０が嵌脱位置へ移動可能になる。また、上述したようにカバー部材１４２自体もヒンジ軸受２００から退避した状態となり、移動部材２１０を手で操作して嵌脱位置に移動させることが可能となる。すなわち、機枠１１０から遊技盤取付枠１３０を取り外すときには、必ず透明部材保持枠１４０を開いた状態にする必要がある。
なお、図１３に示すように遊技盤取付枠１３０に対して透明部材保持枠１４０が閉じた状態であっても、機枠１１０に対して遊技盤取付枠１３０を開放すれば（透明部材保持枠１４０が遊技盤取付枠１３０と一緒に機枠１１０に対して開放した状態となり）、移動阻止部材１４３は移動部材２１０の係合部２１６から退避した状態となる。よって、機枠１１０に遊技盤取付枠１３０を取り付ける際に、遊技盤取付枠１３０に対して透明部材保持枠１４０を閉じた状態でも、取り付けは可能である。
【００６４】
以上のことから、島設備に取り付けられ前面が開口した機枠１１０と、該機枠１１０に対して上下のヒンジ機構により開閉可能且つ着脱可能に軸着されるとともに遊技領域１ａを形成する遊技盤１が取り付けられる遊技盤取付枠１３０と、該遊技盤取付枠１３０に開閉可能に取り付けられ遊技盤１の遊技領域１ａを視認可能な開口部を形成するとともに、該開口部を塞ぐ状態で透明部材（ガラス板１４１）を保持する透明部材保持枠１４０と、を備え、上下のヒンジ機構が、機枠１１０又は遊技盤取付枠１３０の一方に設けられたヒンジ軸と、他方に設けられ、ヒンジ軸を回動可能に支持する軸受け部を備えたヒンジ軸受と、からなる遊技機において、上ヒンジ機構１８０のヒンジ軸受２００は、当該ヒンジ軸受２００を固定するとともに軸受け部２３０の一部が形成される固定部材２０１と、固定部材２０１の一部の軸受け部２３０を除く他部の軸受け部２３０が形成され、ヒンジ軸１８５を軸受け部２３０に嵌脱可能な嵌脱位置と軸受け部２３０がヒンジ軸１８５を回動可能に支持する支持位置とに移動可能に固定部材２０１に設けられる移動部材２１０と、移動部材２１０を支持位置側に付勢する付勢部材（圧縮コイルばね２２０）と、を有し、透明部材保持枠１４０に移動部材２１０の嵌脱位置への移動を阻止する移動阻止部材１４３を設け、移動阻止部材１４３は、遊技盤取付枠１３０と透明部材保持枠１４０とが閉状態で移動部材２１０の嵌脱位置への移動を阻止し、透明部材保持枠１４０を開状態にすることで移動部材２１０の嵌脱位置への移動を許容するようにしたこととなる。
【００６５】
また、上ヒンジ機構１８０のヒンジ軸受２００は、固定部材２０１に形成され、ヒンジ軸１８５の周面に当接する一対の突起（半球状突起２０７）と、移動部材２１０に形成され、ヒンジ軸１８５の周面に当接する軸受け凹部２１３と、を対向するように配することで形成した軸受け部２３０を有し、移動部材２１０は、上下方向に移動可能であり、かつ、遊技盤取付枠１３０の前面側から操作可能な位置にあって、軸受け凹部２１３がヒンジ軸１８５の周面に当接可能な支持位置と、軸受け凹部２１３が支持位置から上方に退避した嵌脱位置と、に移動可能であって、付勢部材（圧縮コイルばね２２０）によって支持位置側へ付勢され、移動阻止部材１４３は、遊技盤取付枠１３０と透明部材保持枠１４０とが閉状態で移動部材２１０に形成された係合部２１６に係合して移動部材２１０の嵌脱位置への移動を阻止し、透明部材保持枠１４０が開状態で係合部２１６から退避し、移動部材２１０の嵌脱位置への移動を許容するようにしたこととなる。
【００６６】
また、透明部材保持枠１４０に上ヒンジ機構１８０を前方から覆うカバー部材１４２を形成したこととなる。
【００６７】
図１に示すように、施錠装置１６０は、遊技盤取付枠１３０のヒンジ機構によって軸支されない開放端側に設けられており、フック１６２と鍵穴１６１、および両者を連結する図示しないリンク機構を有する。フック１６２は遊技盤取付枠１３０の開放端側となる側の裏面に、後方向に延出するように上下２ヶ所設けられている。このフック１６２は、下側に開口した切欠き１６３を有しており、この切欠き１６３が、機枠１１０のフック１６２と対向する位置に設けられた受け具１７０の係合部１７９に係合することで施錠できるようになっている。また、このフック１６２は上下方向に移動可能であり、付勢手段によって常に下方向に付勢されていて、フック１６２が係合部１７９に係合した状態（施錠状態）を保つようになっている。そして、フック１６２は鍵穴１６１と図示しないリンク機構で連結されており、鍵穴１６１に鍵を入れて回すことでフック１６２が上方向に動き、フック１６２の切欠き１６３が係合部１７９から外れて施錠が解除されるようになっている。
【００６８】
また、フック１６２の切欠き１６３より先端側の下部は、先端に向かって上下幅が狭くなるような傾斜を有しており、遊技盤取付枠１３０が開放した状態から遊技盤取付枠１３０を機枠１１０に押し込むように回動させることで、フック１６２の先端部の傾斜した部分が係合部１７９の上端部に当接し、その傾斜に沿ってフック１６２が上方向に持ち上がるようになっている。そして、フック１６２の後部の切欠き１６３が係合部１７９に達すると、付勢手段の付勢力によってフック１６２が下方向に移動して係合部１７９に係合し、施錠された状態となる。
【００６９】
なお、鍵穴１６１は、遊技盤取付枠１３０の施錠装置１６０の一部であるとともに、透明部材保持枠１４０の施錠装置（図示略）の一部でもあって、鍵穴１６１に鍵を入れて一方（例えば左回り）に回すと遊技盤取付枠１３０の施錠が解除され、他方（例えば右回り）に回すと透明部材保持枠１４０の施錠が解除されるようになっている。
【００７０】
図１，３，１４，１５に示すように、機枠１１０の遊技盤取付枠１３０が軸着される内側面に対向する内側面、すなわち、遊技機１００の前面側から見て右側となる機枠１１０の内側面には、遊技盤取付枠１３０の開放端側に設けられた施錠装置１６０のフック１６２が係合可能な係合部１７９を有する受け具１７０が設けられている。受け具１７０は、遊技盤取付枠１３０の開放端側の裏面の上下に２ヶ所設けられた施錠装置１６０のフック１６２に対向するように、上下２ヶ所設けられているが、このうち、上側の受け具１７０が、上ヒンジ機構１８０における、ヒンジ軸１８５が嵌合する軸受け部２３０の前後位置に合わせて前後位置を変更可能とされている。
以下、この前後位置を変更可能な上側の受け具１７０について説明する。
【００７１】
この受け具１７０は、機枠１１０に固定される受け具固定部材１７１と、受け具固定部材１７１に対して複数段階に前後方向に移動可能な係合部材１７２とを有する。
受け具固定部材１７１は略Ｅ字形板状の部材であって、機枠１１０の上下方向に沿って配される主部１７３と、主部１７３の上下端に、主部１７３に対して直交するように接続した受け具位置決め部１７４，１７４と、主部１７３の上下方向の略中央に、主部１７３に対して直交するように接続した受け具固定部１７５とを有する。
すなわち、受け具固定部材１７１の主部１７３は機枠１１０の上下方向に沿って配されるとともに後方側に配され、受け具位置決め部１７４，１７４と受け具固定部１７５は互いに平行であって、機枠１１０の前後方向に沿って配されている。
【００７２】
受け具位置決め部１７４には、ねじ孔１７４ａが形成されており、これによって受け具固定部材１７１が遊技盤取付枠１３０にねじ止めされる。また、受け具位置決め部１７４には、互いに対向する側の側部に、前後方向に沿って３つの切欠き１７７，１７７，１７７が形成されている。そして、この切欠き１７７，１７７，１７７のいずれかに、後述する係合部材１７２に形成された凸部１７６を係合することで、係合部１７９の前後位置を複数段階に変更できるようになっている。さらに、受け具位置決め部１７４の端部は、機枠１１０の段状になった部分に係合するように直角に屈折している。
【００７３】
受け具固定部１７５には、係合部材１７２をねじ止めするためのねじ孔１７５ａが形成されているとともに、ここに接する係合部材１７２の板厚の分だけ、受け部位置決め部１７４よりも機枠１１０側に突出して配されるように形成されていて、係合部材１７２がちょうど一対の受け具位置決め部１７４，１７４の間に位置するようになっている。
なお、機枠１１０には、機枠１１０側に突出する受け具固定部１７５を収納可能な凹部である受け具固定部収納凹部１１３が形成されている。また、この受け具固定部収納凹部１１３には、受け具固定部１７５のねじ孔１７５ａと対向する位置に、該ねじ孔１７５ａを貫通したねじが収まるねじ収容部１１４が形成されている。
【００７４】
係合部材１７２は、Ｌ字形に屈折した板状の部材で、直角に屈折した部分を境に、一方が受け具固定部材１７１に連結、固定される連結部１７８、他方が施錠装置１６０のフック１６２と係合する係合部１７９となっている。
連結部１７８は、上述した一対の受け具位置決め部１７４の間にちょうど収まる上下幅を有し、上下の端部には、上述の受け具位置決め部１７４に形成された切欠き１７７に係合する凸部１７６が、外側に向かって突出するように形成されている。
また、連結部１７８の略中央であって、上述の受け具固定部１７５のねじ孔１７５ａと対向する位置には、ねじを挿通する挿通孔１７８ａが形成されており、この挿通孔１７８ａに機枠１１０の内側からねじを挿通して受け具固定部１７５のねじ孔１７５ａに螺合し、締め付けることで、係合部材１７２を固定できるようになっている。この挿通孔１７８ａは、係合部材１７２の移動方向である前後方向に沿って延在する長孔になっており、係合部材１７２の前後位置の変更に対応できるようになっている。
また、連結部１７８の機枠１１０の前面側に配される部分は直角に屈折して形成されており、機枠１１０の左右方向に沿って機枠１１０の外側方向に延出するように配され、その前方側の面、すなわち係合部材１７２の前端面をなす面が遊技盤取付枠当接面１７８ｂとされている。この遊技盤取付枠当接面１７８ｂは、遊技盤取付枠１３０を機枠１１０に対して閉鎖した状態において、遊技盤取付枠１３０の裏面（より詳しくは、後述の不正防止リブ１３１より内側のリブ（施錠装置１６０から後方に延びている）の後端部）に当接する部分である。
係合部１７９は、矩形板状であって、連結部１７８を受け具固定部材１７１に固定した際に、機枠１１０の内側面に対して垂直に、かつ、板面が機枠１１０の左右方向に沿って機枠１１０の内側方向へ突出するように配される。そして、この係合部１７９に遊技盤取付枠１３０に設けられた施錠装置１６０のフック１６２が係合することで、施錠できるようになっている。
【００７５】
遊技盤取付枠１３０における、上述したフック１６２の切欠き１６３の後端部と遊技盤取付枠当接面１７８ｂが当接する遊技盤取付枠１３０の裏面との間の距離は、受け具１７０における、係合部１７９の後面と遊技盤取付枠当接面１７８ｂとの間の距離と略等しいものとされている。すなわち、遊技盤取付枠１３０を機枠１１０に対して閉鎖し施錠した状態においては、係合部１７９の後面にフック１６２の切欠き１６３の後端部が当接するとともに、遊技盤取付枠当接面１７８ｂが遊技盤取付枠１３０の裏面に当接した状態となる。これによって、遊技盤取付枠１３０は、機枠１１０に対して閉鎖し施錠した状態において、係合部１７９の前後位置にかかわらず前後方向への移動が規制されるようになり、ガタつくことがない。
【００７６】
本実施形態ではヒンジ軸受２００に前後方向に沿って３つの軸受け部２３０，２３０，２３０を形成したのに合わせて、受け具位置決め部１７４に前後方向に沿って３つの切欠き１７７，１７７，１７７を形成している。すなわち、ヒンジ軸１８５を嵌合した軸受け部２３０の前後位置によって、遊技盤取付枠１３０の傾斜が変化するので、これに合った位置に係合部１７９が配されるように受け具位置決め部１７４の切欠き１７７が形成されている。よって、遊技盤取付枠１３０の取付作業時には、ヒンジ軸１８５を嵌合した軸受け部２３０に合わせて、係合部材１７２の凸部１７６を嵌合させる切欠き１７７を選択する。なお、このように係合部材１７２の凸部１７６を嵌合させる切欠き１７７を選択する際の補助として、受け具位置決め部１７４の切欠き１７７に、ヒンジ軸１８５を嵌合する軸受け部２３０に対応する記号を表示するようにしても良い。
【００７７】
なお、下側の受け具１７０は、矩形板状の係合部１７９を有し、この係合部１７９が機枠１１０の内側面に対して垂直に、かつ、板面が機枠１１０の左右方向に沿って機枠１１０の内側方向へ突出するように固定されている。
【００７８】
図１に示すように、遊技盤取付枠１３０の裏面には、後方に向かって突出するリブである不正防止リブ１３１が、遊技盤取付枠１３０を機枠１１０に対して閉鎖した状態において、機枠１１０の内周面に沿って配設されるように形成されている。
この不正防止リブ１３１は、遊技盤取付枠１３０を機枠１１０に対して閉鎖した状態において、機枠１１０に収容された状態となり、遊技盤取付枠１３０と機枠１１０との隙間を塞いで、この隙間から不正に器具等が挿入されることを防止するものである。
なお、不正防止リブ１３１の後方への突出幅は、上述のように前後移動可能な係合部１７９をその可動範囲内で最も前方側の位置に配しても、遊技盤取付枠１３０を機枠１１０に対して閉鎖した状態で、少なくとも不正防止リブ１３１の後端部が機枠１１０に収容されて、遊技盤取付枠１３０と機枠１１０との隙間を塞ぐことができるような突出幅とされている。
【００７９】
次に、以上のような構成を有する遊技機１００における、遊技盤取付枠１３０への透明部材保持枠１４０の着脱方法および機枠１１０への遊技盤取付枠１３０の着脱方法について説明する。
まず、遊技盤取付枠１３０への透明部材保持枠１４０の取り付け方法について説明する。なお、ここでは、遊技盤取付枠１３０は未だ機枠１１０に取り付けられていない状態であるとする。
【００８０】
上述したように、透明部材保持枠１４０および遊技盤取付枠１３０の前面側から見て左側に設けられたヒンジ機構によって両者は回動可能に接続されるようになっている。そして、透明部材保持枠１４０を遊技盤取付枠１３０に取り付ける際には、遊技盤取付枠１３０に対して透明部材保持枠１４０が開いた状態で行う。
この遊技盤取付枠１３０に対して透明部材保持枠１４０が開いた状態とは、例えば、図１に示すような状態（ただし、図１では機枠１１０に遊技盤取付枠１３０が取り付けられた状態となっている）であって、図９に示す透明部材保持枠１４０の裏面側にあるヒンジ機構（ヒンジ軸１４４）を操作可能な状態である。
【００８１】
透明部材保持枠１４０を取り付ける際は、まず、遊技盤取付枠１３０の開口部１２１の前面側から見て左下部に設けられた図示しないヒンジ軸と、透明部材保持枠１４０の前面側から見て左下部に形成された図示しない軸受け孔とを、嵌合させることで下側のヒンジ機構を連結する。
次に、透明部材保持枠１４０の上側のヒンジ機構を連結する。
図９に示した透明部材保持枠１４０に設けられた上下移動可能なヒンジ軸１４４を、透明部材保持枠１４０の内部に収納された状態となるように、図示しない付勢部材の付勢力に抗して下方向に操作し、その位置で保持する。そして、図８に示した遊技盤取付枠１３０のヒンジ軸形成板１８２に形成された軸受け孔１８６の位置にヒンジ軸１４４を合わせるように、先に連結した下側のヒンジ機構を支点として透明部材保持枠１４０を移動する。そして、下方向に移動させて保持していたヒンジ軸１４４の保持を解除すると、ヒンジ軸１４４は図示しない付勢部材の付勢力によって透明部材保持枠１４０の上方に突出し、軸受け穴１８６に嵌合する。これによって、遊技盤取付枠１３０に対して透明部材保持枠１４０が回動可能に取り付けられることとなる。
なお、透明部材保持枠１４０を遊技盤取付枠１３０から取り外す際は、上述の取付操作と逆の操作を行えばよい。
【００８２】
次に、遊技盤取付枠１３０の機枠１１０への取り付け方法について説明する。
ここでは、図３に示す機枠１１０に取り付けられる前面枠１２０の主部をなす遊技盤取付枠１３０に、透明部材保持枠１４０などの部材が取り付けられた状態となっているものとする。
【００８３】
上述したように、機枠１１０および遊技盤取付枠１３０の前面側から見て左側の上下に設けられたヒンジ機構によって両者は回動可能に接続されるようになっている。そして、遊技盤取付枠１３０を機枠１１０に取り付ける際には、図１に示すように、機枠１１０に対して遊技盤取付枠１３０が斜めを向いた状態（開いた状態）でヒンジ機構を連結する作業を行う。なお、透明部材保持枠１４０は、遊技盤取付枠１３０に対して開放した状態であるとする。
【００８４】
初めに、下ヒンジ機構を連結する。
図３に示すように、機枠１１０には、下ヒンジ機構の一部としてのヒンジ軸１１１が設けられており、遊技盤取付枠１３０には、下ヒンジ機構の一部としての図示しない軸受け孔が設けられている。そして、両者を嵌合することで、下ヒンジ機構が連結される。
なお、ここではまだ上ヒンジ機構が連結されていないので、作業員が遊技盤取付枠１３０を支持しなければ機枠１１０から脱落してしまう状態であるが、機枠１１０の下ヒンジ機構が設けられている部分が若干前側に突出しているので、遊技盤取付枠１３０の一部を載置でき、作業員の負担が軽減されるようになっている。
【００８５】
次に、上ヒンジ機構１８０を連結する。
機枠１１０には、上ヒンジ機構１８０の一部としてのヒンジ軸受２００が設けられており、遊技盤取付枠１３０には上ヒンジ機構１８０の一部としてのヒンジ軸１８５が設けられている。
この上ヒンジ機構１８０の連結作業は、連結された下ヒンジ機構を支点として遊技盤取付枠１３０を操作し、図６（ａ）に示すように、ヒンジ軸１８５をヒンジ軸受２００の軸受け部２３０と対向する側から軸受け部２３０へ向けて移動させる。なお、下ヒンジ機構のヒンジ軸１１１と軸受け孔の間には若干の余裕があり、連結された下ヒンジ機構を支点として遊技盤取付枠１３０を動かすことができる。また、このとき、例えば図１２に示すように、機枠１１０と遊技盤取付枠１３０を連結する上ヒンジ機構１８０の機枠１１０の前面側に突出している部分が、透明部材保持枠１４０に設けられたカバー部材１４２の開口部分から挿入されて、カバー部材１４２内に収納されるようにする。ここで、カバー部材１４２の外側の壁における、透明部材保持枠１４０の側方側（透明部材保持枠１４０の前面側から見て左側）の部分が切り取られていることで、上ヒンジ機構１８０の突出部分をカバー部材１４２内に収納する操作が容易になるとともにガイドの役割を果たす。
【００８６】
移動部材２１０は、押圧部２１４をなす下面が、軸受け部２３０が形成された側に向かって下るように傾斜しており、ヒンジ軸１８５を押圧部２１４に当接させながら軸受け部２３０に向かって移動させるのに従い、徐々に移動部材２１０が上方向に押し上げられ、支持位置から嵌脱位置へ向かって移動する。
ヒンジ軸１８５を移動部材２１０の略中央まで移動させたら、前後方向に沿って３つ形成されている軸受け部２３０のうち、所望の軸受け部２３０に連続するガイド部２１５としての溝にヒンジ軸１８５の先端を入れ、図６（ｂ）に示すように、ヒンジ軸１８５をガイド部２１５に沿って軸受け部２３０方向へ移動させる。
なお、所望の軸受け部２３０に連続するガイド部２１５にヒンジ軸１８５の先端を入れれば、移動部材２１０が付勢部材２２０によって下方向に付勢されていることから、容易にガイド部２１５から外れることなく、確実に軸受け部２３０に案内される。
【００８７】
ガイド部２１５に沿って移動したヒンジ軸１８５が、移動部材２１０の側端部であって軸受け凹部２１３が形成された部分の近傍に達すると、移動部材２１０は完全に押し上げられて嵌脱位置に位置するようになる。そして、ヒンジ軸１８５が移動部材２１０の側端部を超え、軸受け部２３０に達すると、図６（ｃ）に示すように、ヒンジ軸１８５によって嵌脱位置に押し上げられていた移動部材２１０が、付勢部材２２０の付勢力によって下方向へ移動、すなわち支持位置に移動し、ヒンジ軸１８５が軸受け部２３０に収容された状態となる。この状態においては、図１３に示すように、ヒンジ軸１８５の一側面に移動部材２１０の軸受け凹部２１３が当接し、かつ、ヒンジ軸受形成部２０３の内側面２０３ｂに形成された半球状突起２０７がヒンジ軸１８５の周面に当接し、ヒンジ軸１８５が回動可能に支持される。なお、ここでは一例として、中央にある軸受け部２３０にヒンジ軸１８５を嵌合した状態を示している。
以上の作業によって、機枠１１０と遊技盤取付枠１３０の上下のヒンジ機構が連結され、機枠１１０に対して遊技盤取付枠１３０が回動可能に取り付けられることとなる。
【００８８】
なお、遊技盤取付枠１３０に対して透明部材保持枠１４０を閉鎖した状態でも、遊技盤取付枠１３０を機枠１１０に取り付けることは可能である。
また、透明部材保持枠１４０を遊技盤取付枠１３０から取り外した状態で遊技盤取付枠１３０を機枠１１０に取り付け、その後、透明部材保持枠１４０を遊技盤取付枠１３０に取り付けるようにしても良い。
【００８９】
次に、受け具１７０の係合部１７９の前後位置を、機枠１１０と遊技盤取付枠１３０を連結する上ヒンジ機構１８０における、ヒンジ軸１８５を嵌合した軸受け部２３０の位置に合わせて調節する。
まず、図１４に示すように、係合部材１７２の凸部１７６を、受け具固定部材１７１の受け具位置決め部１７４，１７４に前後方向に沿って３つ形成された切欠き１７７，１７７，１７７のうち、ヒンジ軸１８５を嵌合した軸受け部２３０の前後位置に対応した切欠き１７７に係合させるように係合部材１７２を配する。なお、図１４では一例として、最も後方側にある受け具位置決め部１７４の切欠き１７７に、係合部材１７２の凸部１７６が係合するようにしている。
係合部材１７２を所望の位置に配したら、挿通孔１７８ａに挿通したねじを受け具固定部１７５のねじ孔１７５ａに螺合するとともに締め付け、係合部材１７２を固定する。これによって、受け具１７０の係合部１７９が所望の前後位置に配されることとなる。
【００９０】
以上の作業が完了したら、図２に示すように、遊技盤取付枠１３０、透明部材保持枠１４０を閉じ、施錠する。
まず、遊技盤取付枠１３０の開放された端部を機枠１１０方向に回動させると、遊技盤取付枠１３０に設けられた施錠装置１６０のフック１６２が受け具１７０の係合部１７９に当接する。図１に示すように、このフック１６２は、先端側の上下幅が狭くなるように、係合部１７９に当接する下端部が傾斜しており、また、上下移動可能であるが付勢手段によって下方向に付勢されている。よって、遊技盤取付枠１３０の開放された端部を機枠１１０方向に押し込むことで、フック１６２の先端部は自身の傾斜に沿って上方向に持ち上がって係合部１７９を乗り越え、フック１６２の後部の切欠き１６３が係合部１７９に達すると、付勢手段の付勢力によってフック１６２が下方向に移動して係合部１７９に係合する。これによって、機枠１１０に遊技盤取付枠１３０が固定されるとともに施錠される。
【００９１】
次に、透明部材保持枠１４０の開放された端部を遊技盤取付枠１３０方向に回動して閉じ、施錠する。このとき、図１２に示すように、透明部材保持枠１４０のカバー部材１４２に設けられている移動阻止部材１４３が、移動部材２１０の係合部２１６から退避した状態から、図１１に示すように係合部２１６の上側に係合した状態となる。これによって、透明部材保持枠１４０を閉じた状態では、移動部材２１０が上方向に移動（嵌脱位置に移動）できないこととなり、遊技盤取付枠１３０を機枠１１０から外せないようになる。また、このように透明部材保持枠１４０を閉じた状態では、図１０に示すようにカバー部材１４２、固定部材２０１のヒンジ軸受形成部２０３によって、軸受け部２３０が完全に覆われた状態となり、不正に遊技盤取付枠１３０を取り外す行為を防止することができる。なお、透明部材保持枠１４０を遊技盤取付枠１３０に対して閉鎖した状態で、遊技盤取付枠１３０を機枠１１０に取り付けた場合は、図１３に示す状態から遊技盤取付枠１３０を閉じることで、移動阻止部材１４３が移動部材２１０の係合部２１６の上側に係合した状態となる。
【００９２】
以上のように、本発明にかかる遊技機１００は、遊技盤取付枠１３０を機枠１１０に取り付けるのと同時に、遊技盤取付枠１３０の傾斜角度の調整もできるので、これらの作業を別々に行うのに比べ、作業効率を向上させることができる。また、機枠１１０を島設備に固定した後でも遊技盤取付枠１３０の傾斜角度の調整が可能となる。
【００９３】
次に、遊技盤取付枠１３０を機枠１１０から取り外す方法について説明する。
まず、図１２に示すように、透明部材保持枠１４０を開放することで、カバー部材１４２で覆われていた上ヒンジ機構１８０を露出させるとともに、移動阻止部材１４３を移動部材２１０の係合部２１６から退避させ、移動部材２１０の嵌脱位置への移動を可能にする。さらに、遊技盤取付枠１３０を開放し、図１に示す状態にする。
次に、上ヒンジ機構１８０の移動部材２１０のうち、遊技盤取付枠１３０の前面側に位置する部分を手で押し上げて、移動部材２１０を嵌脱位置に移動させる。そして、下ヒンジ機構を支点として、遊技盤取付枠１３０をヒンジ軸１８５が軸受け部２３０から外れる方向に移動し、上ヒンジ機構１８０における機枠１１０と遊技盤取付枠１３０との連結を解除する。
さらに、機枠１１０に設けられたヒンジ軸１１１と遊技盤取付枠１３０の図示しない軸受け孔からなる下ヒンジ機構の連結を解除し、機枠１１０から遊技盤取付枠１３０を取り外す。
なお、単に遊技盤取付枠１３０の傾斜角度を調節するだけの場合は、上ヒンジ機構１８０の連結を解除した後、所望の軸受け部２３０にヒンジ軸１８５を嵌合させる作業および受け具１７０の係合部１７９の前後位置の調整作業を行えばよい。
【００９４】
以上のように、本発明にかかる遊技機は、図１に示すように、透明部材保持枠１４０を大きく開けなければ上ヒンジ機構１８０の連結を解除できないので、不正な遊技盤取付枠１３０の取り外しを防止することができる。また、機枠１１０と略同じ上下幅を有する遊技盤取付枠１３０を大きく開けなくても、透明部材保持枠１４０を開放すれば上ヒンジ機構１８０の連結を解除でき、遊技機１００の前方に固定された椅子があっても遊技盤取付枠１３０の着脱作業や、遊技盤取付枠１３０の角度調整作業に支障がなく、作業性が向上する。
【００９５】
なお、遊技盤取付枠１３０を機枠１１０から取り外す場合に、透明部材保持枠１４０を開放しなくても、機枠１１０に対して遊技盤取付枠１３０を開放すれば取り外すことができる。ただし、この場合は、移動部材２１０を操作できるようにするために、遊技盤取付枠１３０を大きく開放する（例えば、機枠１１０に対して略９０度にする）必要がある。
【００９６】
また、本実施形態の遊技機１００においては、上ヒンジ機構１８０は、遊技盤取付枠１３０にヒンジ軸１８５を設け、機枠１１０にヒンジ軸受２００を設けるようにしたが、逆に機枠１１０にヒンジ軸１８５を設け、遊技盤取付枠１３０にヒンジ軸受２００を設けるようにしても良い。
【００９７】
また、本実施形態においては、上ヒンジ機構１８０にのみ前後位置を多段階に調節できるとしたが、下ヒンジ機構のみ、または、上下両ヒンジ機構で同様に前後位置を調節できるようにしても良い。特に、上下のヒンジ機構において前後位置を調節可能とした場合は、より多段階に細かい調整が可能となる。
このうち、上下のヒンジ機構において前後位置を調節可能とする場合は、一方のヒンジ機構に移動部材２１０を設けず、単に複数の軸受け部（軸受け孔）が形成されているようにしても良い。
また、下ヒンジ機構のみ前後位置を調節可能とする場合は、先に連結する上ヒンジ機構で遊技盤取付枠１３０を吊るすことができるようにして、下ヒンジ機構の連結作業が容易になるようにしても良い。
【００９８】
さらに、本実施形態の遊技機１００においては、機枠１１０として背板がある箱状の機枠１１０を使用するとしたが、背板のない枠状の機枠を用いても良い。
また、ヒンジ軸受け形成部の内側面２０３ｂに形成される突起を半球状突起２０７としたが、この形状に限られず突起であればどのような形状でも良い。
【００９９】
以上のような遊技機１００は、島設備に取り付けられ前面が開口した機枠１１０と、該機枠１１０に対して上下のヒンジ機構により開閉可能且つ着脱可能に軸着されるとともに遊技領域１ａを形成する遊技盤１が取り付けられる遊技盤取付枠１３０と、該遊技盤取付枠１３０に開閉可能に取り付けられ遊技盤１の遊技領域１ａを視認可能な開口部を形成するとともに、該開口部を塞ぐ状態で透明部材（ガラス板１４１）を保持する透明部材保持枠１４０と、を備え、上下のヒンジ機構が、機枠１１０又は遊技盤取付枠１３０の一方に設けられたヒンジ軸と、他方に設けられ、ヒンジ軸を回動可能に支持する軸受け部を備えたヒンジ軸受と、からなる遊技機であって、上ヒンジ機構１８０のヒンジ軸受２００は、当該ヒンジ軸受２００を固定するとともに軸受け部２３０の一部が形成される固定部材２０１と、固定部材２０１の一部の軸受け部２３０を除く他部の軸受け部２３０が形成され、ヒンジ軸１８５を軸受け部２３０に嵌脱可能な嵌脱位置と軸受け部２３０がヒンジ軸１８５を回動可能に支持する支持位置とに移動可能に固定部材２０１に設けられる移動部材２１０と、移動部材２１０を支持位置側に付勢する付勢部材（圧縮コイルばね２２０）と、を有し、透明部材保持枠１４０に移動部材２１０の嵌脱位置への移動を阻止する移動阻止部材１４３を設け、移動阻止部材１４３は、遊技盤取付枠１３０と透明部材保持枠１４０とが閉状態で移動部材２１０の嵌脱位置への移動を阻止し、透明部材保持枠１４０を開状態にすることで移動部材２１０の嵌脱位置への移動を許容するようにしている。
【０１００】
従って、ヒンジ軸１８５を回動可能に支持する軸受け部２３０の一部は固定部材２０１に、他部は移動部材２１０に形成され、移動部材２１０が支持位置と嵌脱位置とに移動可能であることで、機枠１１０と遊技盤取付枠１３０の着脱が容易になる。
また、移動部材２１０が付勢部材によってヒンジ軸１８５を支持する支持位置側に付勢されていることで、不用意に機枠１１０から遊技盤取付枠１３０が外れることがない。
また、透明部材保持枠１４０に、遊技盤取付枠１３０と透明部材保持枠１４０とが閉状態で、移動部材２１０の嵌脱位置への移動を阻止するとともに、透明部材保持枠１４０を開状態にすると移動部材２１０の嵌脱位置へ移動可能を許容する移動阻止部材１４３を形成したので、透明部材保持枠１４０を閉じた状態において、移動部材２１０を移動することができないので不正行為を防止できる。また、透明部材保持枠１４０を開放すれば、遊技盤取付枠１３０がどの位置であっても移動部材２１０を移動可能となり、遊技盤取付枠１３０の傾斜調整作業や着脱作業の作業性が格段に向上する。
【０１０１】
また、上ヒンジ機構１８０のヒンジ軸受２００は、固定部材２０１に形成され、ヒンジ軸１８５の周面に当接する一対の突起（半球状突起２０７）と、移動部材２１０に形成され、ヒンジ軸１８５の周面に当接する軸受け凹部２１３と、を対向するように配することで形成した軸受け部２３０を有し、移動部材２１０は、上下方向に移動可能であり、かつ、遊技盤取付枠１３０の前面側から操作可能な位置にあって、軸受け凹部２１３がヒンジ軸１８５の周面に当接可能な支持位置と、軸受け凹部２１３が支持位置から上方に退避した嵌脱位置と、に移動可能であって、付勢部材（圧縮コイルばね２２０）によって支持位置側へ付勢され、移動阻止部材１４３は、遊技盤取付枠１３０と透明部材保持枠１４０とが閉状態で移動部材２１０に形成された係合部２１６に係合して移動部材２１０の嵌脱位置への移動を阻止し、透明部材保持枠１４０が開状態で係合部２１６から退避し、移動部材２１０の嵌脱位置への移動を許容するようにしている。
【０１０２】
従って、固定部材２０１にヒンジ軸１８５の周面に当接する一対の突起（半球状突起２０７）を形成し、移動部材２１０にヒンジ軸１８５の周面に当接する軸受け凹部２１３を形成することで軸受け部２３０を構成し、移動部材２１０を軸受け凹部２１３がヒンジ軸１８５の周面に当接する支持位置と、上方に退避した嵌脱位置とに移動させることで、機枠１１０と遊技盤取付枠１３０の着脱が容易になる。
また、移動部材２１０が付勢部材（圧縮コイルばね２２０）によってヒンジ軸１８５を支持する支持位置側に付勢されていることで、不用意に機枠１１０から遊技盤取付枠１３０が外れることがない。
また、透明部材保持枠１４０に、遊技盤取付枠１３０と透明部材保持枠１４０とが閉状態で、移動部材２１０の嵌脱位置への移動を阻止するとともに、透明部材保持枠１４０を開状態にすると移動部材２１０の嵌脱位置へ移動可能を許容する移動阻止部材１４３を形成したので、透明部材保持枠１４０を閉じた状態において、移動部材２１０を移動することができないので不正行為を防止できる。また、透明部材保持枠１４０を開放すれば、遊技盤取付枠１３０がどの位置であっても移動部材２１０を移動可能となり、遊技盤取付枠１３０の傾斜調整作業や着脱作業の作業性が格段に向上する。
【０１０３】
また、透明部材保持枠１４０に上ヒンジ機構１８０を前方から覆うカバー部材１４２を形成している。
【０１０４】
従って、透明部材保持枠１４０に上ヒンジ機構１８０を覆うカバー部材１４２を形成したので、上ヒンジ機構１８０に触れられないようにすることができ、不正行為を防止できるとともに、けがを防止することができる。
また、上ヒンジ機構１８０が見えないようにすることができるので、デザイン性が向上する。
さらに、透明部材保持枠１４０の動作に伴ってカバー部材１４２も移動するので、遊技盤取付枠１３０の着脱作業の作業性が向上する。
【０１０５】
なお、本発明の遊技機は、上述の実施形態で示した封入球式遊技機以外でもよく、実球を排出する排出装置を備えるとともに、該排出装置から排出された遊技球および遊技機に隣設された遊技球貸出装置から貸球として排出された遊技球を遊技領域に発射して遊技を行うような遊技機（パチンコ遊技機）であってもよい。また、遊技機は、本実施形態に示されるようなパチンコ遊技機に限られるものではなく、アレンジボール遊技機、雀球遊技機などの遊技球を使用する全ての遊技機を用いることができる。
【０１０６】
また、今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０１０７】
【図１】本発明を適用した遊技機として例示される封入球式遊技機の透明部材保持枠、遊技盤取付枠を開放した状態を示す斜視図である。
【図２】透明部材保持枠、遊技盤取付枠を閉鎖した状態の封入球式遊技機を示す斜視図である。
【図３】封入球式遊技機の機枠の斜視図である。
【図４】ヒンジ軸受の斜視図である。
【図５】ヒンジ軸受の分解斜視図である。
【図６】上ヒンジ機構の連結方法を説明するための図である。
【図７】遊技盤取付枠の上ヒンジ機構が設けられた部分を示す背面図である。
【図８】遊技盤取付枠の背面であって上ヒンジ機構が設けられた部分を示す斜視図である。
【図９】透明部材保持枠の背面であって、上ヒンジ機構が配される部分を示す斜視図である。
【図１０】上ヒンジ機構の前面側から見た斜視図である。
【図１１】遊技機の上ヒンジ機構が設けられた部分を示す上部断面図である。
【図１２】図１１の状態から透明部材保持枠を開いた様子を示す遊技機の上部断面図である。
【図１３】図１１の状態から遊技盤取付枠を開いた様子を示す遊技機の上部断面図である。
【図１４】機枠の受け具が設けられた部分を示す斜視図である。
【図１５】図１４の状態から受け具を外した状態を示す分解斜視図である。
【符号の説明】
【０１０８】
１      遊技盤
１ａ    遊技領域
１００  封入球式遊技機（遊技機）
１１０  機枠
１３０  遊技盤取付枠
１４０  透明部材保持枠
１４１  ガラス板（透明部材）
１４２  カバー部材
１４３  移動阻止部材
１８０  上ヒンジ機構
１８５  ヒンジ軸
２００  ヒンジ軸受
２０１  固定部材
２０７  半球状突起（突起）
２１０  移動部材
２１６  係合部
２２０  圧縮コイルばね（付勢部材）
２３０  軸受け部
【図１】
2006239147.tif 000003
【図２】
2006239147.tif 000004
【図３】
2006239147.tif 000005
【図４】
2006239147.tif 000006
【図５】
2006239147.tif 000007
【図６】
2006239147.tif 000008
【図７】
2006239147.tif 000009
【図８】
2006239147.tif 000010
【図９】
2006239147.tif 000011
【図１０】
2006239147.tif 000012
【図１１】
2006239147.tif 000013
【図１２】
2006239147.tif 000014
【図１３】
2006239147.tif 000015
【図１４】
2006239147.tif 000016
【図１５】
2006239147.tif 000017